(57)【特許請求の範囲】
【請求項１】
装置間（Ｄ２Ｄ）サービス送信方法であって、
ユーザ機器（ＵＥ）により、第１送信搬送波周波数で動作する第１セルの信号品質を取得するステップであって、前記第１セルは基地局により供給される、ステップと、
ユーザ機器により、前記第１セルの第１指示情報を前記基地局から受信するステップであって、前記第１セルの前記第１指示情報は、前記第１セル内の第２送信搬送波周波数で装置間（Ｄ２Ｄ）サービスデータを送信するよう前記基地局が前記ＵＥを制御できることを示すために使用され、前記第１送信搬送波周波数及び前記第２送信搬送波周波数は異なる周波数に位置付けられる、ステップと、
前記ＵＥが前記第１セルの前記信号品質はプリセット閾より高いと決定し、且つ前記第１セルの前記第１指示情報が受信されると、前記ＵＥにより、前記第１セルをサービングセルとして選択するステップと、
前記ＵＥにより、前記第２送信搬送波周波数で前記Ｄ２Ｄサービスデータを送信するステップと、
を含む方法。
【請求項２】
前記サービングセルは、Ｄ２Ｄサービスをサポートするセルである、請求項１に記載の方法。
【請求項３】
前記ＵＥは、前記第２送信搬送波周波数上の同期ソースであり、前記ＵＥは、前記ＵＥのカバレッジ識別子をカバレッジ内に設定する、請求項１又は２に記載の方法。
【請求項４】
前記ＵＥが前記第１セルの第１指示情報を前記基地局から受信することは、
前記ＵＥにより、システム情報をブロードキャストすることにより前記第１セルの前記第１指示情報を前記基地局から受信するステップ、又は
前記ＵＥにより、無線リソース制御（ＲＲＣ）専用制御シグナリングを用いることにより前記第１セルの前記第１指示情報を前記基地局から受信するステップ、
を含む、請求項１乃至３のいずれか一項に記載の方法。
【請求項５】
前記第１セルの前記第１指示情報は、少なくとも１つの第２送信搬送波周波数の周波数の周波数情報を含む、請求項１乃至４のいずれか一項に記載の方法。
【請求項６】
装置間（Ｄ２Ｄ）サービス送信機器であって、
第１送信搬送波周波数で動作する第１セルの信号品質を取得するよう構成される取得モジュールであって、前記第１セルは基地局により供給される、取得モジュールと、
前記第１セルの第１指示情報を受信するよう構成される受信モジュールと、
前記第１セルの前記信号品質がプリセット閾より高く、且つ前記第１セルの前記第１指示情報が受信されると、前記第１セルをサービングセルとして選択するよう構成される選択モジュールであって、前記第１セルの前記第１指示情報は、前記第１セルの第２送信搬送波周波数で装置間（Ｄ２Ｄ）サービスデータを送信するよう前記基地局がＵＥを制御できることを示すために使用され、前記第１送信搬送波周波数及び前記第２送信搬送波周波数は異なる周波数に位置付けられる、選択モジュールと、
前記第２送信搬送波周波数で前記Ｄ２Ｄサービスデータを送信するよう構成される実行モジュールと、
を含む機器。
【請求項７】
前記サービングセルは、Ｄ２Ｄサービスをサポートするセルである、請求項６に記載の機器。
【請求項８】
前記ＵＥは、前記第２送信搬送波周波数上の同期ソースであり、前記ＵＥは、前記ＵＥのカバレッジ識別子をカバレッジ内に設定する、請求項６又は７に記載の機器。
【請求項９】
前記受信モジュールは、具体的に、システム情報をブロードキャストすることにより前記第１セルの前記第１指示情報を前記基地局から受信するよう、又は無線リソース制御（ＲＲＣ）専用制御シグナリングを用いることにより前記第１セルの前記第１指示情報を前記基地局から受信するよう構成される、請求項６乃至８のいずれか一項に記載の機器。
【請求項１０】
前記第１セルの前記第１指示情報は、少なくとも１つの第２送信搬送波周波数の周波数の周波数情報を含む、請求項６乃至９のいずれか一項に記載の機器。
【請求項１１】
無線通信システムであって、請求項６乃至１０のいずれか一項に記載の第１装置間（Ｄ２Ｄ）サービス送信機器と、第２Ｄ２Ｄサービス送信機器と、を含み、前記第２Ｄ２Ｄサービス送信機器は、
第１セルの第１指示情報を決定するよう構成される決定モジュールであって、前記第１セルは前記第２Ｄ２Ｄサービス送信機器によりサービスされ、前記第１セルの前記第１指示情報は、前記第１セル内の第２送信搬送波周波数でＤ２Ｄサービスデータを送信するよう前記第２Ｄ２Ｄサービス送信機器が前記第１Ｄ２Ｄサービス送信機器を制御できることを示すために使用される、決定モジュールと、
第１送信搬送波周波数を用いて前記第１セルの第１指示情報を送信するよう構成される送信モジュールであって、前記第１送信搬送波周波数及び前記第２送信搬送波周波数は異なる周波数に位置付けられる、送信モジュールと、
を含む、システム。
【請求項１２】
前記第１セルは、Ｄ２Ｄサービスをサポートするセルである、請求項１１に記載のシステム。
【請求項１３】
前記送信モジュールは、具体的に、システム情報をブロードキャストすることにより前記第１セルの前記第１指示情報を送信するよう、又は無線リソース制御（ＲＲＣ）専用制御シグナリングを用いることにより前記第１セルの前記第１指示情報を送信するよう構成される、請求項１１又は１２に記載のシステム。
【請求項１４】
前記第１セルの前記第１指示情報は、少なくとも１つの第２送信搬送波周波数の周波数情報を含む、請求項１１乃至１３のいずれか一項に記載のシステム。
【請求項１５】
コンピュータにより実行されると前記コンピュータに請求項１乃至５のいずれか一項に記載の方法のステップを実行させる命令を含むコンピュータ可読記憶媒体。
【発明の詳細な説明】
【技術分野】
【０００１】
本発明は、通信技術の分野に関し、特にＤ２Ｄサービス送信方法、機器及び装置に関する。
【背景技術】
【０００２】
現在、ロングタームエボリューション（Long  Term  Evolution、ＬＴＥ）通信システムは、比較的主流の無線通信技術である。装置間（Device  to  Device、Ｄ２Ｄ）技術は、３ＧＰＰ  ＬＴＥ  Ｒｅｌｅａｓｅ１２において重要な機能として使用され、標準化されており、Ｄ２Ｄは、ユーザ機器（User  Equipment、ＵＥ）間の直接通信をサポートする。通常、ＵＥにサービスを提供するセル（サービングセルとして参照される）は、ＵＥにより選択されたサービングセルの送信搬送波周波数とＤ２Ｄサービスの送信搬送波周波数とが同じ周波数に位置するときにのみ、Ｄ２Ｄサービスのために使用されるリソースをスケジューリングできる。したがって、ＵＥにより選択されたサービングセルの送信搬送波周波数とＤ２Ｄサービスの送信搬送波周波数とが異なる周波数に位置付けられるとき、サービングセルは、ＵＥにＤ２Ｄサービス送信を提供できない。
【０００３】
ＵＥにより選択されたサービングセルの送信搬送波周波数とＤ２Ｄサービスの送信搬送波周波数とが異なる周波数に位置付けられるときにＤ２Ｄサービス送信を実行する適用シナリオは、車車間（Vehicle  to  Vehicle、Ｖ２Ｖ）通信である。
【０００４】
社会の連続的展開に伴い、インテリジェント輸送システムが絶え間なく進歩し、車両は、Ｖ２Ｖを用いて、道路状態情報を取得し又は適時に情報サービスを受信できる。図１に示すように、車両は、Ｖ２Ｖ通信を用いて周囲の車両へ、車両の速度、移動方向、特定位置、及び緊急停止が実行されるか否か、のような情報をブロードキャストして良い。このような情報を取得することにより、運転者は、危険を予想し、次にその危険を避けるために、見通し線を越えて交通状態を良好に知覚できる。Ｖ２Ｖ通信システムで送信される情報は、Ｖ２Ｖ情報として参照される。Ｖ２Ｖ通信システムでは、車両は、ブロードキャスト方法で、周囲の車両にＶ２Ｖ情報を送信する。送信周期は、通常、１〜１０Ｈｚであり、Ｖ２Ｖ情報の量は、約５０から１２００バイトまで変化する。
【０００５】
Ｖ２Ｖ通信シナリオは、ユーザ端末間の直接通信にも属する。したがって、Ｖ２Ｖサービスは、Ｄ２Ｄ技術を用いて送信されて良い。しかしながら、Ｖ２Ｖサービス固有送信周波数は、現在のサービングセルの周波数と異なる場合がある。この場合、ＬＴＥに基づく車両インターネットソリューションは次の通りである：基地局は、ＵＥの現在のサービングセルを用いて、ＵＥへ、Ｖ２Ｖサービスを送信するための専用送信搬送波周波数の構成情報を送信する。ＵＥは、Ｄ２Ｄ技術を用いて、構成情報に従い、専用送信搬送波周波数でＶ２Ｖサービスを送信する。
【０００６】
通常、ＵＥにサービスを提供するセルは、ＵＥにより選択されたサービングセルの送信搬送波周波数とＤ２Ｄサービスの送信搬送波周波数とが同じ周波数に位置するときにのみ、Ｄ２Ｄサービスのために使用されるリソースをスケジューリングできる。しかしながら、ＬＴＥに基づくＶ２Ｖ通信シナリオでは、Ｖ２Ｖ固有送信搬送波周波数とＬＴＥ制御搬送波周波数とが、２つの異なる周波数に位置付けられる。Ｄ２Ｄサービスにおけるセル選択の既存のメカニズムは、ＬＴＥ制御搬送波周波数を用いるＶ２Ｖ固有送信搬送波周波数のためのリソース割り当てをサポートしない。
【発明の概要】
【０００７】
本発明は、端末がＤ２Ｄサービスデータを送信するために異なる周波数に位置付けられた送信搬送波周波数を選択できないという問題を解決するために、Ｄ２Ｄサービス送信方法、機器、及び装置を提供する。
【０００８】
第１の態様によると、装置間Ｄ２Ｄサービス送信方法であって、ＵＥにより、第１送信搬送波周波数で動作する第１セルの信号品質を取得するステップと、前記ＵＥが前記第１セルの前記信号品質はプリセット閾より高いと決定し、且つ前記ＵＥが前記第１セルにより送信された第１指示情報を受信すると、前記ＵＥにより、前記第１セルをサービングセルとして選択するステップであって、前記第１指示情報は、前記第１セルが第２送信搬送波周波数で装置間Ｄ２Ｄサービスデータを送信するよう前記ＵＥを制御できることを示すために使用され、前記第１送信搬送波周波数及び前記第２送信搬送波周波数は異なる周波数に位置付けられる、ステップと、前記ＵＥにより、前記第２送信搬送波周波数で前記Ｄ２Ｄサービスデータを送信するステップと、を含む方法が提供される。
【０００９】
第１の態様を参照して、第１の態様の第１の可能な実装では、前記ＵＥが前記第１セルにより送信された第１指示情報を受信することは、前記ＵＥが、システム情報をブロードキャストすることにより前記第１セルにより送信された前記第１指示情報を受信すること、又は前記ＵＥが、無線リソース制御ＲＲＣ専用制御シグナリングを用いることにより前記第１セルにより送信された前記第１指示情報を受信すること、を含む。
【００１０】
第１の態様又は第１の態様の第１の可能な実装を参照して、第１の態様の第２の可能な実装では、前記ＵＥが前記第１セルにより送信された前記第１指示情報を受信する前に、前記方法は、前記第１セルが要求メッセージに従い前記第１指示情報を送信できるように、前記ＵＥにより前記第１セルへ、前記ＵＥの関心のあるＤ２Ｄサービスの送信搬送波周波数の周波数情報を含む前記要求メッセージを送信するステップ、を更に含む。
【００１１】
第１の態様又は第１の態様の第１乃至第２の可能な実装のうちのいずれか１つを参照して、第１の態様の第３の可能な実装では、前記第１指示情報は、少なくとも１つの第２送信搬送波周波数の周波数の周波数情報を含む。
【００１２】
第１の態様の第２又は第３の可能な実装を参照して、第１の態様の第４の可能な実装では、前記第２送信搬送波周波数の周波数は、前記要求メッセージに含まれる。
【００１３】
第１の態様又は第１の態様の第１乃至第４の可能な実装のうちのいずれか１つを参照して、第１の態様の第５の可能な実装では、前記ＵＥが前記第２送信搬送波周波数でＤ２Ｄサービスを送信した後に、前記方法は、前記ＵＥにより前記第１セルへ、前記第２送信搬送波周波数の周波数情報を含む通知メッセージを送信するステップであって、前記通知メッセージは、前記ＵＥが前記第２送信搬送波周波数を前記Ｄ２Ｄサービスを送信する送信搬送波周波数として使用することを前記第１セルに通知するために使用される、ステップ、を更に含む。
【００１４】
第１の態様又は第１の態様の第１乃至第３の可能な実装のうちのいずれか１つを参照して、第１の態様の第６の可能な実装では、前記ＵＥが前記第２送信搬送波周波数で前記Ｄ２Ｄサービスを送信した後に、前記方法は、前記ＵＥにより、第２セルを決定するために、第３送信搬送波周波数に対して周波数スキャンを実行するステップと、前記第２セルが指定条件に適合するとき、前記ＵＥにより、前記第２セルを前記サービングセルとして再選択するステップと、前記ＵＥにより、Ｄ２Ｄサービスを実行するために使用され且つ前記第２セルにより制御され得る送信搬送波周波数でＤ２Ｄサービスデータを送信するステップと、を更に含む。
【００１５】
第１の態様の第６の可能な実装を参照して、第１の態様の第７の可能な実装では、前記指定条件は、前記第２セルの信号品質が再選択閾以上であり、前記ＵＥが前記第２セルにより送信された第２指示メッセージを受信でき、前記第２指示メッセージは、前記第２セルが、前記第２送信搬送波周波数で前記Ｄ２Ｄサービスデータを送信するよう前記ＵＥを制御できることを示すために使用されること、前記第１セルの前記信号品質がアクセス閾より低く、前記第２セルの信号品質が再選択閾以上であり、前記ＵＥが前記第２セルにより送信された第２指示メッセージを受信でき、前記第２指示メッセージは、前記第２セルが、前記第２送信搬送波周波数で前記Ｄ２Ｄサービスデータを送信するよう前記ＵＥを制御できることを示すために使用されること、又は、前記第１セルの前記信号品質がアクセス閾より低く、前記第２セルの信号品質が再選択閾以上であり、前記ＵＥが前記第２セルにより送信された第３指示メッセージを受信でき、前記第３指示メッセージは、前記第２セルが、前記第３送信搬送波周波数で前記Ｄ２Ｄサービスデータを送信するよう前記ＵＥを制御できることを示すために使用されること、のうちの少なくとも１つを含む。
【００１６】
第１の態様の第６の可能な実装を参照して、第１の態様の第８の可能な実装では、前記第１指示情報は、前記Ｄ２Ｄサービスを送信するために使用される送信搬送波周波数のアクセス優先度を更に含み、前記指定条件は、前記第２セルの信号品質が再選択閾以上であり、前記ＵＥが前記第２セルにより送信された第３指示メッセージを受信でき、前記第３送信搬送波周波数のアクセス優先度が前記第２送信搬送波周波数のアクセス優先度より高く、前記第３指示メッセージは、前記第２セルが、前記第３送信搬送波周波数で前記Ｄ２Ｄサービスデータを送信するよう前記ＵＥを制御できることを示すために使用されること、又は、前記第１セルの前記信号品質が、アクセス閾より低く、前記第２セルの信号品質が再選択閾以上であり、前記ＵＥが前記第２セルにより送信された第３指示メッセージを受信でき、前記第３送信搬送波周波数のアクセス優先度が前記第２送信搬送波周波数のアクセス優先度より高く、前記第３指示メッセージは、前記第２セルが、前記第３送信搬送波周波数で前記Ｄ２Ｄサービスデータを送信するよう前記ＵＥを制御できることを示すために使用されること、のうちの少なくとも１つを含む。
【００１７】
第１の態様の第６の可能な実装を参照して、第１の態様の第９の可能な実装では、前記第１指示情報は、セル再選択優先度を更に含み、前記指定条件は、前記第２セルの信号品質が再選択閾以上であり、前記第２セルの再選択優先度が前記第１セルの再選択優先度以上であり、前記ＵＥが前記第２セルにより送信された第２指示メッセージを受信でき、前記第２指示メッセージは、前記第２セルが、前記第２送信搬送波周波数で前記Ｄ２Ｄサービスデータを送信するよう前記ＵＥを制御できることを示すために使用されること、又は、前記第２セルの信号品質が前記第１セルの前記信号品質より高く、前記第２セルの再選択優先度が前記第１セルの再選択優先度以上であり、前記ＵＥが前記第２セルにより送信された第２指示メッセージを受信でき、前記第２指示メッセージは、前記第２セルが、前記第２送信搬送波周波数で前記Ｄ２Ｄサービスデータを送信するよう前記ＵＥを制御できることを示すために使用されること、のうちの少なくとも１つを含む。
【００１８】
第２の態様によると、装置間Ｄ２Ｄサービス送信方法であって、第１セルにより、第１送信搬送波周波数を用いて第１指示情報を送信するステップであって、前記第１指示情報は、前記第１セルが、第２送信搬送波周波数で装置間Ｄ２Ｄサービスデータを送信するようＵＥを制御できることを示すために使用され、前記ＵＥが、前記指示情報に従い、前記第１セルをサービングセルとして使用すること、及び前記Ｄ２Ｄサービスデータを前記第２送信搬送波周波数で送信することを決定できるようにし、前記第１送信搬送波周波数及び前記第２送信搬送波周波数は異なる周波数に位置付けられる、ステップ、を含む方法が提供される。
【００１９】
第２の態様を参照して、第２の態様の第１の可能な実装では、前記方法は、前記第１セルが、前記ＵＥは前記Ｄ２Ｄサービスデータを前記第２送信搬送波周波数で送信することを決定すると、前記第１セルにより、前記第２送信搬送波周波数上のＤ２Ｄ送信リソースを前記ＵＥに割り当てるステップ、を更に含む。
【００２０】
第２の態様又は第２の態様の第１の可能な実装を参照して、第２の態様の第２の可能な実装では、第１セルにより、第１送信搬送波周波数を用いて第１指示情報を送信する前記ステップは、前記第１セルにより、システム情報をブロードキャストすることにより前記指示情報を送信するステップ、又は、前記第１セルにより、無線リソース制御ＲＲＣ専用制御シグナリングを用いて前記第１指示情報を送信するステップ、を含む。
【００２１】
第２の態様又は第２の態様の第１乃至第２の可能な実装のうちのいずれか１つを参照して、第２の態様の第３の可能な実装では、第１セルにより第１送信搬送波周波数を用いて第１指示情報を送信する前記ステップの前に、前記方法は、前記第１セルにより、前記ＵＥにより送信された要求メッセージを受信するステップであって、前記要求メッセージは、前記ＵＥの関心のあるＤ２Ｄサービスの送信搬送波周波数の周波数情報を含む、ステップと、前記第１セルにより、前記要求メッセージに従い前記第１指示情報を送信するステップと、を更に含む。
【００２２】
第２の態様又は第２の態様の第１乃至第３の可能な実装のうちのいずれか１つを参照して、第２の態様の第４の可能な実装では、前記第１セルにより前記第１送信搬送波周波数を用いて送信される前記第１指示情報は、少なくとも１つの第２送信搬送波周波数の周波数情報を含む。
【００２３】
第２の態様の第４の可能な実装を参照して、第２の態様の第５の可能な実装では、前記第２送信搬送波周波数の且つ前記第１セルにより送信された前記第１指示情報内の周波数情報は、前記要求メッセージに含まれる。
【００２４】
第２の態様又は第２の態様の第１乃至第５の可能な実装のうちのいずれか１つを参照して、第２の態様の第６の可能な実装では、前記方法は、前記第１セルにより、前記第２送信搬送波周波数の周波数情報を含み且つ前記ＵＥにより送信された通知メッセージを受信するステップであって、前記通知メッセージは、前記ＵＥが前記第２送信搬送波周波数を前記Ｄ２Ｄサービスを送信する送信搬送波周波数として使用することを前記第１セルに通知するために使用される、ステップ、を更に含む。
【００２５】
第３の態様によると、装置間Ｄ２Ｄサービス送信機器であって、第１送信搬送波周波数で動作する第１セルの信号品質を取得するよう構成される取得モジュールと、前記第１セルにより送信された第１指示情報を受信するよう構成される受信モジュールと、前記第１セルの前記信号品質がプリセット閾より高いと決定され、且つ前記第１セルにより送信された前記第１指示情報が受信されると、前記第１セルをサービングセルとして選択するよう構成される選択モジュールであって、前記第１指示情報は、前記第１セルが第２送信搬送波周波数で装置間Ｄ２Ｄサービスデータを送信するようＵＥを制御できることを示すために使用され、前記第１送信搬送波周波数及び前記第２送信搬送波周波数は異なる周波数に位置付けられる、選択モジュールと、前記第２送信搬送波周波数で前記Ｄ２Ｄサービスデータを送信するよう構成される実行モジュールと、を含む機器が提供される。
【００２６】
第３の態様を参照して、第３の態様の第１の可能な実装では、前記受信モジュールは、具体的に、システム情報をブロードキャストすることにより前記第１セルにより送信された前記第１指示情報を受信するよう、又は無線リソース制御ＲＲＣ専用制御シグナリングを用いることにより前記第１セルにより送信された前記第１指示情報を受信するよう構成される。
【００２７】
第３の態様又は第３の態様の第１の可能な実装を参照して、第３の態様の第２の可能な実装では、前記機器は、前記第１セルが要求メッセージに従い前記第１指示情報を送信できるように、前記第１セルへ、前記ＵＥの関心のあるＤ２Ｄサービスの送信搬送波周波数の周波数情報を含む前記要求メッセージを送信するよう構成される第１送信モジュールを更に含む。
【００２８】
第３の態様又は第３の態様の第１乃至第２の可能な実装を参照して、第３の態様の第３の可能な実装では、前記受信モジュールにより受信された前記第１指示情報は、少なくとも１つの第２送信搬送波周波数の周波数の周波数情報を含む。
【００２９】
第３の態様の第２又は第３の可能な実装を参照して、第３の態様の第４の可能な実装では、前記選択モジュールにより選択された前記第２送信搬送波周波数の周波数は、前記要求メッセージに含まれる。
【００３０】
第３の態様又は第３の態様の第１乃至第４の可能な実装のうちのいずれか１つを参照して、第３の態様の第５の可能な実装では、第２送信モジュールは、前記第１セルへ、前記第２送信搬送波周波数の周波数情報を含む通知メッセージを送信するよう構成され、前記通知メッセージは、前記ＵＥが前記第２送信搬送波周波数を前記Ｄ２Ｄサービスを送信する送信搬送波周波数として使用することを前記第１セルに通知するために使用される。
【００３１】
第３の態様又は第３の態様の第１乃至第３の可能な実装のうちのいずれか１つを参照して、第３の態様の第６の可能な実装では、前記機器は、第２セルを決定するために、第３送信搬送波周波数に対して周波数スキャンを実行するよう構成される決定モジュールと、前記第２セルが指定条件に適合するとき、前記第２セルを前記サービングセルとして再選択するよう構成される再選択モジュールと、Ｄ２Ｄサービスを実行するために使用され且つ前記第２セルにより制御され得る送信搬送波周波数でＤ２Ｄサービスデータを送信するよう構成される送信モジュールと、を更に含む。
【００３２】
第３の態様の第６の可能な実装を参照して、第３の態様の第７の可能な実装では、前記再選択モジュールにより決定される前記指定条件は、前記第２セルの信号品質が再選択閾以上であり、前記ＵＥが前記第２セルにより送信された第２指示メッセージを受信でき、前記第２指示メッセージは、前記第２セルが、前記第２送信搬送波周波数で前記Ｄ２Ｄサービスデータを送信するよう前記ＵＥを制御できることを示すために使用されること、前記第１セルの前記信号品質がアクセス閾より低く、前記第２セルの信号品質が再選択閾以上であり、前記ＵＥが前記第２セルにより送信された第２指示メッセージを受信でき、前記第２指示メッセージは、前記第２セルが、前記第２送信搬送波周波数で前記Ｄ２Ｄサービスデータを送信するよう前記ＵＥを制御できることを示すために使用されること、又は、前記第１セルの前記信号品質がアクセス閾より低く、前記第２セルの信号品質が再選択閾以上であり、前記ＵＥが前記第２セルにより送信された第３指示メッセージを受信でき、前記第３指示メッセージは、前記第２セルが、前記第３送信搬送波周波数で前記Ｄ２Ｄサービスデータを送信するよう前記ＵＥを制御できることを示すために使用されること、のうちの少なくとも１つを含む。
【００３３】
第３の態様の第６の可能な実装を参照して、第３の態様の第８の可能な実装では、前記第１指示情報は、前記Ｄ２Ｄサービスを送信するために使用される送信搬送波周波数のアクセス優先度を更に含み、前記再選択モジュールにより決定される前記指定条件は、前記第２セルの信号品質が再選択閾以上であり、前記ＵＥが前記第２セルにより送信された第３指示メッセージを受信でき、前記第３送信搬送波周波数のアクセス優先度が前記第２送信搬送波周波数のアクセス優先度より高く、前記第３指示メッセージは、前記第２セルが、前記第３送信搬送波周波数で前記Ｄ２Ｄサービスデータを送信するよう前記ＵＥを制御できることを示すために使用されること、又は、前記第１セルの前記信号品質が、アクセス閾より低く、前記第２セルの信号品質が再選択閾以上であり、前記ＵＥが前記第２セルにより送信された第３指示メッセージを受信でき、前記第３送信搬送波周波数のアクセス優先度が前記第２送信搬送波周波数のアクセス優先度より高く、前記第３指示メッセージは、前記第２セルが、前記第３送信搬送波周波数で前記Ｄ２Ｄサービスデータを送信するよう前記ＵＥを制御できることを示すために使用されること、のうちの少なくとも１つを含む。
【００３４】
第３の態様の第６の可能な実装を参照して、第３の態様の第９の可能な実装では、前記第１指示情報は、セル再選択優先度を更に含み、前記再選択モジュールにより決定される前記指定条件は、前記第２セルの信号品質が再選択閾以上であり、前記第２セルの再選択優先度が前記第１セルの再選択優先度以上であり、前記ＵＥが前記第２セルにより送信された第２指示メッセージを受信でき、前記第２指示メッセージは、前記第２セルが、前記第２送信搬送波周波数で前記Ｄ２Ｄサービスデータを送信するよう前記ＵＥを制御できることを示すために使用されること、又は、前記第２セルの信号品質が前記第１セルの前記信号品質より高く、前記第２セルの再選択優先度が前記第１セルの再選択優先度以上であり、前記ＵＥが前記第２セルにより送信された第２指示メッセージを受信でき、前記第２指示メッセージは、前記第２セルが、前記第２送信搬送波周波数で前記Ｄ２Ｄサービスデータを送信するよう前記ＵＥを制御できることを示すために使用されること、のうちの少なくとも１つを含む。
【００３５】
第４の態様によると、装置間Ｄ２Ｄサービス送信機器であって、第１セルへ、第１送信搬送波周波数を用いて第１指示情報を送信するよう構成される送信モジュールであって、前記第１指示情報は、前記第１セルが、第２送信搬送波周波数で装置間Ｄ２Ｄサービスデータを送信するようＵＥを制御できることを示すために使用され、前記ＵＥが、前記指示情報に従い、前記第１セルをサービングセルとして使用すること、及び前記Ｄ２Ｄサービスデータを前記第２送信搬送波周波数で送信することを決定できるようにし、前記第１送信搬送波周波数及び前記第２送信搬送波周波数は異なる周波数に位置付けられる、送信モジュール、を含む機器が提供される。
【００３６】
第４の態様を参照して、第４の態様の第１の可能な実装では、前記機器は、前記ＵＥが前記第２送信搬送波周波数で前記Ｄ２Ｄサービスデータを送信すると決定されると、前記第２送信搬送波周波数上のＤ２Ｄ送信リソースを前記ＵＥに割り当てるよう構成される実行モジュール、を更に含む。
【００３７】
第４の態様又は第４の態様の第１の可能な実装を参照して、第４の態様の第２の可能な実装では、前記送信モジュールは、具体的に、システム情報をブロードキャストすることにより前記指示情報を送信するよう、又は無線リソース制御ＲＲＣ専用制御シグナリングを用いることにより前記第１指示情報を送信するよう構成される。
【００３８】
第４の態様又は第４の態様の第１乃至第２の可能な実装のうちのいずれか１つを参照して、第４の態様の第３の可能な実装では、前記機器は、前記ＵＥにより送信された要求メッセージを受信するよう構成される第１受信モジュールであって、前記要求メッセージは、前記ＵＥの関心のあるＤ２Ｄサービスの送信搬送波周波数の周波数情報を含む、第１受信モジュール、を更に含み、前記送信モジュールは、具体的に、前記要求メッセージに従い、前記第１指示情報を送信するよう構成される。
【００３９】
第４の態様又は第４の態様の第１乃至第３の可能な実装のうちのいずれか１つを参照して、第４の態様の第４の可能な実装では、前記送信モジュールにより前記第１送信搬送波周波数を用いて送信される前記第１指示情報は、少なくとも１つの第２送信搬送波周波数の周波数情報を含む。
【００４０】
第４の態様の第４の可能な実装を参照して、第２の態様の第５の可能な実装では、前記第２送信搬送波周波数の且つ前記送信モジュールにより送信された前記第１指示情報内の周波数情報は、前記要求メッセージに含まれる。
【００４１】
第４の態様又は第４の態様の第１乃至第５の可能な実装のうちのいずれか１つを参照して、第４の態様の第６の可能な実装では、前記機器は、前記第２送信搬送波周波数の周波数情報を含み且つ前記ＵＥにより送信された通知メッセージを受信するよう構成される第２受信モジュールであって、前記通知メッセージは、前記ＵＥが前記第２送信搬送波周波数を前記Ｄ２Ｄサービスを送信する送信搬送波周波数として使用することを前記第１セルに通知するために使用される、第２受信モジュール、を更に含む。
【００４２】
第５の態様によると、装置間Ｄ２Ｄサービス送信装置であって、第１送信搬送波周波数で動作する第１セルの信号品質を取得するよう構成されるプロセッサと、前記第１セルにより送信された第１指示情報を受信するよう構成されるインタフェースと、を含む装置が提供される。プロセッサは、第１セルの信号品質がプリセット閾より高いことが決定され、第１セルにより送信された第１指示情報が受信されると、第１セルをサービングセルとして選択し、第１指示情報は、第１セルが、第２送信搬送波周波数で装置間Ｄ２Ｄサービスデータを送信するようＵＥを制御できることを示すために使用され、第１送信搬送波周波数及び第２送信搬送波周波数は異なる周波数に位置付けられ、並びに、第２送信搬送波周波数でＤ２Ｄサービスデータを送信する、よう更に構成される。
【００４３】
第５の態様を参照して、第５の態様の第１の可能な実装では、前記インタフェースは、具体的に、システム情報をブロードキャストすることにより前記第１セルにより送信された前記第１指示情報を受信するよう、又は無線リソース制御ＲＲＣ専用制御シグナリングを用いることにより前記第１セルにより送信された前記第１指示情報を受信するよう構成される。
【００４４】
第５の態様又は第５の態様の第１の可能な実装を参照して、第５の態様の第２の可能な実装では、前記プロセッサは、前記第１セルが要求メッセージに従い前記第１指示情報を送信できるように、前記インタフェースを用いて前記第１セルへ、前記ＵＥの関心のあるＤ２Ｄサービスの送信搬送波周波数の周波数情報を含む前記要求メッセージを送信するよう更に構成される。
【００４５】
第５の態様又は第５の態様の第１乃至第２の可能な実装を参照して、第５の態様の第３の可能な実装では、前記インタフェースにより受信された前記第１指示情報は、少なくとも１つの第２送信搬送波周波数の周波数の周波数情報を含む。
【００４６】
第５の態様の第２又は第３の可能な実装を参照して、第５の態様の第４の可能な実装では、前記プロセッサにより選択された前記第２送信搬送波周波数の周波数は、前記要求メッセージに含まれる。
【００４７】
第５の態様又は第５の態様の第１乃至第４の可能な実装のうちのいずれか１つを参照して、第５の態様の第５の可能な実装では、前記インタフェースは、前記第１セルへ、前記第２送信搬送波周波数の周波数情報を含む通知メッセージを送信するよう構成され、前記通知メッセージは、前記ＵＥが前記第２送信搬送波周波数を前記Ｄ２Ｄサービスを送信する送信搬送波周波数として使用することを前記第１セルに通知するために使用される。
【００４８】
第５の態様又は第５の態様の第１乃至第３の可能な実装のうちのいずれか１つを参照して、第５の態様の第６の可能な実装では、前記プロセッサは、第２セルを決定するために、第３送信搬送波周波数に対して周波数スキャンを実行し、前記第２セルが指定条件に適合するとき、前記第２セルを前記サービングセルとして再選択し、Ｄ２Ｄサービスを実行するために使用され且つ前記第２セルにより制御され得る送信搬送波周波数でＤ２Ｄサービスデータを送信するよう更に構成される。
【００４９】
第５の態様の第６の可能な実装を参照して、第５の態様の第７の可能な実装では、前記プロセッサにより決定される前記指定条件は、前記第２セルの信号品質が再選択閾以上であり、前記ＵＥが前記第２セルにより送信された第２指示メッセージを受信でき、前記第２指示メッセージは、前記第２セルが、前記第２送信搬送波周波数で前記Ｄ２Ｄサービスデータを送信するよう前記ＵＥを制御できることを示すために使用されること、前記第１セルの前記信号品質がアクセス閾より低く、前記第２セルの信号品質が再選択閾以上であり、前記ＵＥが前記第２セルにより送信された第２指示メッセージを受信でき、前記第２指示メッセージは、前記第２セルが、前記第２送信搬送波周波数で前記Ｄ２Ｄサービスデータを送信するよう前記ＵＥを制御できることを示すために使用されること、又は、前記第１セルの前記信号品質がアクセス閾より低く、前記第２セルの信号品質が再選択閾以上であり、前記ＵＥが前記第２セルにより送信された第３指示メッセージを受信でき、前記第３指示メッセージは、前記第２セルが、前記第３送信搬送波周波数で前記Ｄ２Ｄサービスデータを送信するよう前記ＵＥを制御できることを示すために使用されること、のうちの少なくとも１つを含む。
【００５０】
第５の態様の第６の可能な実装を参照して、第５の態様の第８の可能な実装では、前記第１指示情報は、前記Ｄ２Ｄサービスを送信するために使用される送信搬送波周波数のアクセス優先度を更に含み、前記プロセッサにより決定される前記指定条件は、前記第２セルの信号品質が再選択閾以上であり、前記ＵＥが前記第２セルにより送信された第３指示メッセージを受信でき、前記第３送信搬送波周波数のアクセス優先度が前記第２送信搬送波周波数のアクセス優先度より高く、前記第３指示メッセージは、前記第２セルが、前記第３送信搬送波周波数で前記Ｄ２Ｄサービスデータを送信するよう前記ＵＥを制御できることを示すために使用されること、又は、前記第１セルの前記信号品質が、アクセス閾より低く、前記第２セルの信号品質が再選択閾以上であり、前記ＵＥが前記第２セルにより送信された第３指示メッセージを受信でき、前記第３送信搬送波周波数のアクセス優先度が前記第２送信搬送波周波数のアクセス優先度より高く、前記第３指示メッセージは、前記第２セルが、前記第３送信搬送波周波数で前記Ｄ２Ｄサービスデータを送信するよう前記ＵＥを制御できることを示すために使用されること、のうちの少なくとも１つを含む。
【００５１】
第５の態様の第６の可能な実装を参照して、第５の態様の第９の可能な実装では、前記第１指示情報は、セル再選択優先度を更に含み、前記プロセッサにより決定される前記指定条件は、前記第２セルの信号品質が再選択閾以上であり、前記第２セルの再選択優先度が前記第１セルの再選択優先度以上であり、前記ＵＥが前記第２セルにより送信された第２指示メッセージを受信でき、前記第２指示メッセージは、前記第２セルが、前記第２送信搬送波周波数で前記Ｄ２Ｄサービスデータを送信するよう前記ＵＥを制御できることを示すために使用されること、又は、前記第２セルの信号品質が前記第１セルの前記信号品質より高く、前記第２セルの再選択優先度が前記第１セルの再選択優先度以上であり、前記ＵＥが前記第２セルにより送信された第２指示メッセージを受信でき、前記第２指示メッセージは、前記第２セルが、前記第２送信搬送波周波数で前記Ｄ２Ｄサービスデータを送信するよう前記ＵＥを制御できることを示すために使用されること、のうちの少なくとも１つを含む。
【００５２】
第６の態様によると、プロセッサとインタフェースとを含む装置間Ｄ２Ｄサービス送信装置が提供される。プロセッサは、インタフェースを用いて第１送信搬送波周波数に基づき第１指示情報を送信するよう構成される。ここで、第１指示情報は、第１セルが、第２送信搬送波周波数で装置間Ｄ２Ｄサービスデータを送信するようＵＥを制御できることを示すために使用され、ＵＥが、指示情報に従い、第１セルをサービングセルとして使用すること、及びＤ２Ｄサービスデータを第２送信搬送波周波数で送信することを決定できるようにし、第１送信搬送波周波数及び第２送信搬送波周波数は異なる周波数に位置付けられる。
【００５３】
第６の態様を参照して、第６の態様の第１の可能な実装では、前記プロセッサは、前記ＵＥが前記第２送信搬送波周波数で前記Ｄ２Ｄサービスデータを送信すると決定されると、前記第２送信搬送波周波数上のＤ２Ｄ送信リソースを前記ＵＥに割り当てるよう更に構成される。
【００５４】
第６の態様又は第６の態様の第１の可能な実装を参照して、第６の態様の第２の可能な実装では、前記インタフェースは、具体的に、システム情報をブロードキャストすることにより前記指示情報を送信するよう、又は無線リソース制御ＲＲＣ専用制御シグナリングを用いることにより前記第１指示情報を送信するよう構成される。
【００５５】
第６の態様又は第６の態様の第１乃至第２の可能な実装のうちのいずれか１つを参照して、第６の態様の第３の可能な実装では、前記インタフェースは、前記ＵＥにより送信された要求メッセージを受信し、前記要求メッセージは、前記ＵＥの関心のあるＤ２Ｄサービスの送信搬送波周波数の周波数情報を含み、前記要求メッセージに従い、前記第１指示情報を送信するよう更に構成されて良い。
【００５６】
第６の態様又は第６の態様の第１乃至第３の可能な実装のうちのいずれか１つを参照して、第６の態様の第４の可能な実装では、前記インタフェースを用いて前記第１送信搬送波周波数に基づき具体的に送信される前記第１指示情報は、少なくとも１つの第２送信搬送波周波数の周波数情報を含む。
【００５７】
第６の態様の第４の可能な実装を参照して、第６の態様の第５の可能な実装では、前記第２送信搬送波周波数の且つ前記インタフェースにより送信される前記第１指示情報内の周波数情報は、前記要求メッセージに含まれる。
【００５８】
第６の態様又は第６の態様の第１乃至第５の可能な実装のうちのいずれか１つを参照して、第６の態様の第６の可能な実装では、前記インタフェースは、前記第２送信搬送波周波数の周波数情報を含み且つ前記ＵＥにより送信された通知メッセージを受信するよう更に構成され、前記通知メッセージは、前記ＵＥが前記第２送信搬送波周波数を前記Ｄ２Ｄサービスを送信する送信搬送波周波数として使用することを前記第１セルに通知するために使用される。
【００５９】
前述の技術的ソリューションによると、ＵＥは、第１送信搬送波周波数で動作する第１セルの信号品質を取得し、ＵＥが、第１セルの信号品質はプリセット閾より高いことを決定し、ＵＥが第１セルにより送信された第１指示情報を受信すると、ＵＥは、第１セルをサービングセルとして選択し、第２送信搬送波周波数でＤ２Ｄサービスデータを送信する。端末がＤ２Ｄサービスデータを送信するために異なる周波数に位置付けられた送信搬送波周波数を選択できないという問題を解決するために、ＵＥは、第１指示情報を受信することにより、Ｄ２Ｄサービスを送信するために異なる周波数に位置する送信搬送波周波数を選択できる。
【図面の簡単な説明】
【００６０】
【図１】Ｖ２Ｖ通信の概略図である。
【図２Ａ】本発明の実施形態１で提案されるＤ２Ｄサービス送信方法のフローチャートである。
【図２Ｂ】本発明の実施形態２で提案されるＤ２Ｄサービス送信方法のフローチャートである。
【図３】本発明の実施形態２で提案されるＤ２Ｄサービス送信機器の概略構造図である。
【図４】本発明の実施形態２で提案されるＤ２Ｄサービス送信装置の概略構造図である。
【図５】本発明の実施形態３で提案されるＤ２Ｄサービス送信方法のフローチャートである。
【図６】本発明の実施形態３で提案されるＤ２Ｄサービス送信機器の概略構造図である。
【発明を実施するための形態】
【００６１】
通常、端末は、Ｄ２Ｄサービスデータを送信するために、異なる周波数に位置付けられた送信搬送波周波数を選択できない。本発明において提案される技術的ソリューションでは、ＵＥは、第１送信搬送波周波数で動作する第１セルの信号品質を取得し、ＵＥが、第１セルの信号品質はプリセット閾より高いことを決定し、ＵＥが第１セルにより送信された第１指示情報を受信すると、ＵＥは、第１セルをサービングセルとして選択し、第２送信搬送波周波数でＤ２Ｄサービスデータを送信する。端末がＤ２Ｄサービスデータを送信するために異なる周波数に位置付けられた送信搬送波周波数を選択できないという問題を解決するために、ＵＥは、第１指示情報を受信することにより、Ｄ２Ｄサービスを送信するために異なる周波数に位置する送信搬送波周波数を選択できる。
【００６２】
以下は、添付の図面を参照して、本発明の実施形態の技術的ソリューションの主要な実装原理及び特定の実装、並びに対応する達成可能な有利な効果を詳細に記載する。
【００６３】
説明を容易にするために、本発明の実施形態において提案される技術的ソリューションでは、セル及び送信搬送波周波数は、例えば、それぞれ、第１セル及び第２セル、並びに第１送信搬送波周波数、第２送信搬送波周波数、及び第３送信搬送波周波数として、区別される。したがって、端末側では、ユーザ端末（user  equipment、ＵＥ）は、それぞれ第１ＵＥ及び第２ＵＥとして区別される。
【００６４】
本発明の実施形態で提案されるＤ２Ｄサービス送信方法によると、ＵＥは、第１送信搬送波周波数で動作する第１セルの信号品質を取得する。ＵＥが、第１セルの信号品質はプリセット閾より高いことを決定し、ＵＥが第１セルにより送信された第１指示情報を受信すると、ＵＥは、第１セルをサービングセルとして選択し、第２送信搬送波周波数でＤ２Ｄサービスデータを送信する。
【００６５】
第１指示情報は、第１セルが、第２送信搬送波周波数でＤ２Ｄサービスデータを送信するようＵＥを制御できることを示すために使用され、第１送信搬送波周波数及び第２送信搬送波周波数は異なる周波数に位置付けられる。
【００６６】
以下は、添付の図面を参照して、本発明の実施形態の技術的ソリューションの主要な実装原理及び特定の実装、並びに対応する達成可能な有利な効果を詳細に記載する。
【００６７】
実施形態１
本発明の実施形態１は、Ｄ２Ｄサービス送信方法を提供する。図２Ａに示すように、方法の特定の処理手順は以下のように記載される。
【００６８】
ステップ２１：ＵＥは、第１送信搬送波周波数で動作する第１セルの信号品質を取得する。
【００６９】
ＵＥは、第１送信搬送波周波数で動作する第１セルの信号品質を取得するために、セルの信号品質を測定する。
【００７０】
ステップ２２：第１セルは、第１指示情報を送信する。
【００７１】
ステップ２２とステップ２１との間には、固定した時系列は存在しない。第１セルは、周期的に又はスケジューリングされた方法で第１指示情報を送信し、又は任意の時間に第１指示情報を送信して良い。説明を容易にするために、本発明の実施形態１で提案される技術的ソリューションでは、ステップ２２はステップ２１の後に実行される。
【００７２】
第１セルは、以下の２つの方法で第１指示情報を送信して良い。
【００７３】
第１の方法では、第１セルは、システム情報をブロードキャストすることにより、第１指示情報を送信する。
【００７４】
第２の方法では、第１セルは、ＲＲＣ専用制御シグナリングを用いることにより、第１指示情報を送信する。
【００７５】
第１指示情報は、第１セルが、第２送信搬送波周波数でＤ２Ｄサービスデータを送信するようＵＥを制御できることを示すために使用され、第１送信搬送波周波数及び第２送信搬送波周波数は異なる周波数に位置付けられる。
【００７６】
任意で、ステップ２２で第１セルが第１情報を送信する前に、方法は以下のステップを更に含む。
【００７７】
ＵＥは、第１セルへ、ＵＥの関心のあるＤ２Ｄサービスのための送信搬送波周波数の周波数情報を含む要求メッセージを送信して、第１セルが受信した要求メッセージに従い第１指示情報を送信できるようにする。
【００７８】
具体的に、第２送信搬送波周波数の且つ第１セルにより送信された第１指示情報内の周波数情報は、要求メッセージに含まれる。
【００７９】
ステップ２３：ＵＥが、第１セルの信号品質はプリセット閾より高いことを決定し、ＵＥが第１セルにより送信された第１指示情報を受信すると、ＵＥは、第１セルをサービングセルとして選択する。
【００８０】
相応して、ＵＥは、以下の２つの方法で、第１セルにより送信された第１指示情報を受信して良い。
【００８１】
第１の方法では、ＵＥは、システム情報をブロードキャストすることにより第１セルにより送信された第１指示情報を受信する。
【００８２】
第２の方法では、ＵＥは、ＲＲＣ専用制御シグナリングを使用することにより第１セルにより送信された第１指示情報を受信する。
【００８３】
ＵＥは、第１セルをサービングセルとして選択し、サービングセルは、Ｄ２Ｄサービスを提供できるセルである。
【００８４】
任意で、第１指示情報は、少なくとも１つの第２送信搬送波周波数の周波数を含む。
【００８５】
ステップ２４：ＵＥは、第２送信搬送波周波数でＤ２Ｄサービスデータを送信する。
【００８６】
ＬＴＥに基づくＶ２Ｖ通信シナリオは、詳細な説明のための一例として使用される。
【００８７】
ＵＥは、第１送信搬送波周波数を用いて、第１セルにより送信された指示情報を受信し、第１セルが第２送信搬送波周波数上のＶ２Ｖサービス送信を制御できることを決定し、第１セルの信号品質を測定し、測定結果に従い、第１セルの信号品質がプリセット閾以上か否かを決定する。決定結果が、第１セルの信号品質はプリセット閾以上であることを示す場合、ＵＥは、第１セルにアクセスして留まる。つまり、ＵＥは、第１セルをサービングセルとして選択し、指示情報により示された第２送信搬送波周波数を、Ｖ２Ｖサービスを伝達する送信搬送波周波数として使用する。
【００８８】
ＬＴＥに基づくＶ２Ｖ通信シナリオでは、Ｖ２Ｖサービスを送信する送信搬送波周波数とＬＴＥ制御搬送波周波数とが、２つの異なる周波数に位置付けられる。Ｄ２Ｄサービスにおけるセル選択の既存のメカニズムは、ＬＴＥ制御搬送波周波数を用いるＶ２Ｖ固有送信搬送波周波数のためのリソース割り当てをサポートしない。これに基づき、本発明の実施形態１で提案される技術的ソリューションでは、第１送信搬送波周波数で動作する第１セルは、指示情報を送信する。ＵＥが、受信した指示情報に従い、第１セルの信号品質はプリセット閾より高いことを決定すると、ＵＥは、第１セルをサービングセルとして選択し、第２送信搬送波周波数でＶ２Ｖサービスを送信する。
【００８９】
任意で、ステップ２４の後に、方法は、以下のステップを更に含んで良い。
【００９０】
ＵＥは、Ｄ２Ｄサービスカバレッジ識別子を有効値に設定する。
【００９１】
この場合、ＵＥは、ＵＥのＤ２Ｄサービスカバレッジ識別子をカバレッジ内に設定する。同期信号を送信するために第２送信搬送波周波数上で同期ソースとして使用されるとき、Ｄ２Ｄサービスカバレッジ識別子がカバレッジ内に設定されていれば、ＵＥは、より高い同期ソース優先度を有し得る。
【００９２】
ＵＥが第１セルをサービングセルとして使用した後、ＵＥは常に静止しているわけではない。したがって、ＵＥが移動すると、ＵＥは、信号品質が第１セルの信号品質より高い第２セルを検出して良く、又は、ＵＥは、別の送信搬送波周波数を用いてＤ２Ｄサービスを送信することを期待する。この場合、ＵＥはセル再選択を実行する必要がある。
【００９３】
したがって、ステップ２４でＵＥが第２送信搬送波周波数でＤ２Ｄサービスデータを送信した後に、方法は、以下のステップを更に含んで良い。
【００９４】
ＵＥは、アクセスするために第２セルを再選択する。
【００９５】
ＵＥは、第２セルを決定するために、第３送信搬送波周波数に対して周波数スキャンを実行し、第２セルが指定条件に適合するとき、第２セルをサービングセルとして再選択し、ＵＥは、Ｄ２Ｄサービスを実行するために使用され且つ第２セルにより制御され得る送信搬送波周波数でＤ２Ｄサービスデータを送信する。
【００９６】
指定条件は、以下のうちの少なくとも１つを含む。
【００９７】
条件１：第２セルの信号品質が、再選択閾以上であり、ＵＥが、第２セルにより送信された第２指示メッセージを受信できる。ここで、第２指示メッセージは、第２セルが、第２送信搬送波周波数でＤ２Ｄサービスデータを送信するようＵＥを制御できることを示すために使用される。
【００９８】
条件２：第１セルの信号品質が、アクセス閾より低く、第２セルの信号品質が、再選択閾以上であり、ＵＥが、第２セルにより送信された第２指示メッセージを受信できる。ここで、第２指示メッセージは、第２セルが、第２送信搬送波周波数でＤ２Ｄサービスデータを送信するようＵＥを制御できることを示すために使用される。
【００９９】
条件３：第１セルの信号品質が、アクセス閾より低く、第２セルの信号品質が、再選択閾以上であり、ＵＥが、第２セルにより送信された第３指示メッセージを受信できる。ここで、第３指示メッセージは、第２セルが、第３送信搬送波周波数でＤ２Ｄサービスデータを送信するようＵＥを制御できることを示すために使用される。
【０１００】
第１指示情報は、Ｄ２Ｄサービスを送信するために使用される送信搬送波周波数のアクセス優先度を更に含む。このシナリオでは、指定条件は、以下のうちの少なくとも１つを含む。
【０１０１】
条件１：第２セルの信号品質が、再選択閾以上であり、ＵＥが、第２セルにより送信された第３指示メッセージを受信でき、第３送信搬送波周波数のアクセス優先度が、第２送信搬送波周波数のアクセス優先度より高い。ここで、第３指示メッセージは、第２セルが、第３送信搬送波周波数でＤ２Ｄサービスデータを送信するようＵＥを制御できることを示すために使用される。
【０１０２】
条件２：第１セルの信号品質が、アクセス閾より低く、第２セルの信号品質が、再選択閾以上であり、ＵＥが、第２セルにより送信された第３指示メッセージを受信でき、第３送信搬送波周波数のアクセス優先度が、第２送信搬送波周波数のアクセス優先度より高い。ここで、第３指示メッセージは、第２セルが、第３送信搬送波周波数でＤ２Ｄサービスデータを送信するようＵＥを制御できることを示すために使用される。
【０１０３】
第１指示情報は、セル再選択優先度を更に含む。
【０１０４】
このシナリオでは、指定条件は、以下のうちの少なくとも１つを含む。
【０１０５】
条件１：第２セルの信号品質が、再選択閾以上であり、第２セルの再選択優先度が第１セルの再選択優先度以上であり、ＵＥが、第２セルにより送信された第２指示メッセージを受信できる。ここで、第２指示メッセージは、第２セルが、第２送信搬送波周波数でＤ２Ｄサービスデータを送信するようＵＥを制御できることを示すために使用される。
【０１０６】
条件２：第２セルの信号品質が、第１セルの信号品質より高く、第２セルの再選択優先度が第１セルの再選択優先度以上であり、ＵＥが、第２セルにより送信された第２指示メッセージを受信できる。ここで、第２指示メッセージは、第２セルが、第２送信搬送波周波数でＤ２Ｄサービスデータを送信するようＵＥを制御できることを示すために使用される。
【０１０７】
本発明の実施形態１で提案される技術的ソリューションによると、ＵＥは、第１送信搬送波周波数で動作する第１セルの信号品質を取得し、ＵＥが、第１セルの信号品質はプリセット閾より高いことを決定し、ＵＥが第１セルにより送信された第１指示情報を受信すると、ＵＥは、第１セルをサービングセルとして選択し、第２送信搬送波周波数でＤ２Ｄサービスデータを送信する。端末がＤ２Ｄサービスデータを送信するために異なる周波数に位置付けられた送信搬送波周波数を選択できないという問題を解決するために、ＵＥは、第１指示情報を受信することにより、Ｄ２Ｄサービスを送信するために異なる周波数に位置する送信搬送波周波数を選択できる。
【０１０８】
実施形態２
本発明の実施形態２は、Ｄ２Ｄサービス送信方法を提供する。図２Ｂに示すように、方法の特定の処理手順は以下のように記載される。
【０１０９】
ステップ３１：ＵＥは、第１送信搬送波周波数で動作する第１セルの信号品質を取得する。
【０１１０】
ＵＥは、第１送信搬送波周波数で動作する第１セルの信号品質を取得するために、セルの信号品質を測定する。
【０１１１】
ステップ３２：ＵＥが、第１セルの信号品質はプリセット閾より高いことを決定し、ＵＥが第１セルにより送信された第１指示情報を受信すると、ＵＥは、第１セルをサービングセルとして選択する。
【０１１２】
第１指示情報は、第１セルが、第２送信搬送波周波数でＤ２Ｄサービスデータを送信するようＵＥを制御できることを示すために使用され、第１送信搬送波周波数及び第２送信搬送波周波数は異なる周波数に位置付けられる。
【０１１３】
ＵＥは、以下の２つの方法で、第１セルにより送信された第１指示情報を受信して良い。
【０１１４】
第１の方法では、ＵＥは、システム情報をブロードキャストすることにより第１セルにより送信された第１指示情報を受信する。
【０１１５】
第２の方法では、ＵＥは、ＲＲＣ専用制御シグナリングを使用することにより第１セルにより送信された第１指示情報を受信する。
【０１１６】
ステップ３３：ＵＥは、第２送信搬送波周波数でＤ２Ｄサービスデータを送信する。
【０１１７】
ＬＴＥに基づくＶ２Ｖ通信シナリオは、詳細な説明のための一例として使用される。
【０１１８】
ＵＥは、第１送信搬送波周波数を用いて、第１セルにより送信された指示情報を受信し、第１セルが第２送信搬送波周波数上のＶ２Ｖサービス送信を制御できることを決定し、第１セルの信号品質を測定し、測定結果に従い、第１セルの信号品質がプリセット閾以上か否かを決定する。決定結果が、第１セルの信号品質はプリセット閾以上であることを示す場合、ＵＥは、第１セルにアクセスして留まる。つまり、ＵＥは、第１セルをサービングセルとして選択し、指示情報により示された第２送信搬送波周波数を、Ｖ２Ｖサービスを伝達する送信搬送波周波数として使用する。
【０１１９】
ＬＴＥに基づくＶ２Ｖ通信シナリオでは、Ｖ２Ｖサービスを送信する送信搬送波周波数とＬＴＥ制御搬送波周波数とが、２つの異なる周波数に位置付けられる。Ｄ２Ｄサービスにおけるセル選択の既存のメカニズムは、ＬＴＥ制御搬送波周波数を用いるＶ２Ｖ固有送信搬送波周波数のためのリソース割り当てをサポートしない。これに基づき、本発明の実施形態２で提案される技術的ソリューションでは、第１送信搬送波周波数で動作する第１セルは、指示情報を送信する。ＵＥが、受信した指示情報に従い、第１セルの信号品質はプリセット閾より高いことを決定すると、ＵＥは、第１セルをサービングセルとして選択し、第２送信搬送波周波数でＶ２Ｖサービスを送信する。
【０１２０】
任意で、ＵＥが第１セルにより送信された第１情報を送信する前に、方法は以下のステップを更に含む。
【０１２１】
ＵＥは、第１セルへ、ＵＥの関心のあるＤ２Ｄサービスのための送信搬送波周波数の周波数情報を含む要求メッセージを送信して、第１セルが要求メッセージに従い第１指示情報を送信できるようにする。
【０１２２】
具体的に、第１指示情報は、少なくとも１つの第２送信搬送波周波数の周波数の周波数情報を含む。
【０１２３】
具体的に、第２送信搬送波周波数の且つ第１セルにより送信された第１指示情報内の周波数情報は、要求メッセージに含まれる。
【０１２４】
ＵＥが第２送信搬送波周波数でＤ２Ｄサービスデータを送信した後に、方法は、以下のステップを更に含んで良む。
【０１２５】
ＵＥは、第１セルへ、第２送信搬送波周波数の周波数情報を含む通知メッセージを送信する。ここで、通知メッセージは、ＵＥが第２送信搬送波周波数をＤ２Ｄサービスを送信する送信搬送波周波数として使用することを、第１セルに知らせるために使用される。
【０１２６】
ＵＥが第１セルをサービングセルとして使用した後、ＵＥは常に静止しているわけではない。したがって、ＵＥが移動すると、ＵＥは、信号品質が第１セルの信号品質より高い第２セルを検出して良く、又は、ＵＥは、別の送信搬送波周波数を用いてＤ２Ｄサービスを送信することを期待する。この場合、ＵＥはセル再選択を実行する必要がある。
【０１２７】
したがって、ＵＥが第２送信搬送波周波数でＤ２Ｄサービスデータを送信した後に、方法は、以下のステップを更に含んで良い。
【０１２８】
ＵＥは、アクセスするために第２セルを再選択する。
【０１２９】
ＵＥは、第２セルを決定するために、第３送信搬送波周波数に対して周波数スキャンを実行し、第２セルが指定条件に適合するとき、第２セルをサービングセルとして再選択し、ＵＥは、Ｄ２Ｄサービスを実行するために使用され且つ第２セルにより制御され得る送信搬送波周波数でＤ２Ｄサービスデータを送信する。
【０１３０】
指定条件は、以下のうちの少なくとも１つを含む。
【０１３１】
条件１：第２セルの信号品質が、再選択閾以上であり、ＵＥが、第２セルにより送信された第２指示メッセージを受信できる。ここで、第２指示メッセージは、第２セルが、第２送信搬送波周波数でＤ２Ｄサービスデータを送信するようＵＥを制御できることを示すために使用される。
【０１３２】
条件２：第１セルの信号品質が、アクセス閾より低く、第２セルの信号品質が、再選択閾以上であり、ＵＥが、第２セルにより送信された第２指示メッセージを受信できる。ここで、第２指示メッセージは、第２セルが、第２送信搬送波周波数でＤ２Ｄサービスデータを送信するようＵＥを制御できることを示すために使用される。
【０１３３】
条件３：第１セルの信号品質が、アクセス閾より低く、第２セルの信号品質が、再選択閾以上であり、ＵＥが、第２セルにより送信された第３指示メッセージを受信できる。ここで、第３指示メッセージは、第２セルが、第３送信搬送波周波数でＤ２Ｄサービスデータを送信するようＵＥを制御できることを示すために使用される。
【０１３４】
第１指示情報は、Ｄ２Ｄサービスを送信するために使用される送信搬送波周波数のアクセス優先度を更に含む。このシナリオでは、指定条件は、以下のうちの少なくとも１つを含む。
【０１３５】
条件１：第２セルの信号品質が、再選択閾以上であり、ＵＥが、第２セルにより送信された第３指示メッセージを受信でき、第３送信搬送波周波数のアクセス優先度が、第２送信搬送波周波数のアクセス優先度より高い。ここで、第３指示メッセージは、第２セルが、第３送信搬送波周波数でＤ２Ｄサービスデータを送信するようＵＥを制御できることを示すために使用される。
【０１３６】
条件２：第１セルの信号品質が、アクセス閾より低く、第２セルの信号品質が、再選択閾以上であり、ＵＥが、第２セルにより送信された第３指示メッセージを受信でき、第３送信搬送波周波数のアクセス優先度が、第２送信搬送波周波数のアクセス優先度より高い。ここで、第３指示メッセージは、第２セルが、第３送信搬送波周波数でＤ２Ｄサービスデータを送信するようＵＥを制御できることを示すために使用される。
【０１３７】
第１指示情報は、セル再選択優先度を更に含む。
【０１３８】
このシナリオでは、指定条件は、以下のうちの少なくとも１つを含む。
【０１３９】
条件１：第２セルの信号品質が、再選択閾以上であり、第２セルの再選択優先度が第１セルの再選択優先度以上であり、ＵＥが、第２セルにより送信された第２指示メッセージを受信できる。ここで、第２指示メッセージは、第２セルが、第２送信搬送波周波数でＤ２Ｄサービスデータを送信するようＵＥを制御できることを示すために使用される。
【０１４０】
条件２：第２セルの信号品質が、第１セルの信号品質より高く、第２セルの再選択優先度が第１セルの再選択優先度以上であり、ＵＥが、第２セルにより送信された第２指示メッセージを受信できる。ここで、第２指示メッセージは、第２セルが、第２送信搬送波周波数でＤ２Ｄサービスデータを送信するようＵＥを制御できることを示すために使用される。
【０１４１】
相応して、本発明の実施形態２は、Ｄ２Ｄサービス送信機器を更に提供する。図３に示すように、機器は、取得モジュール３０１、受信モジュール３０２、選択モジュール３０３、及び実行モジュール３０４を含む。
【０１４２】
取得モジュール３０１は、第１送信搬送波周波数で動作する第１セルの信号品質を取得するよう構成される。
【０１４３】
受信モジュール３０２は、第１セルにより送信された第１指示情報を受信するよう構成される。
【０１４４】
選択モジュール３０３は、第１セルの信号品質がプリセット閾より高いことが決定され、第１セルにより送信された第１指示情報が受信されると、第１セルをサービングセルとして選択するよう構成される。ここで、第１指示情報は、第１セルが、第２送信搬送波周波数で装置間Ｄ２Ｄサービスデータを送信するようＵＥを制御できることを示すために使用され、第１送信搬送波周波数及び第２送信搬送波周波数は異なる周波数に位置付けられる。
【０１４５】
実行モジュール３０４は、第２送信搬送波周波数でＤ２Ｄサービスデータを送信するよう構成される。
【０１４６】
具体的に、受信モジュール３０２は、システム情報をブロードキャストすることにより第１セルにより送信された第１指示情報を受信するよう、又は無線リソース制御ＲＲＣ専用制御シグナリングを用いることにより第１セルにより送信された第１指示情報を受信するよう構成される。
【０１４７】
機器は、第１セルへ、ＵＥの関心のあるＤ２Ｄサービスのための送信搬送波周波数の周波数情報を含む要求メッセージを送信するよう構成され、第１セルが要求メッセージに従い第１指示情報を送信できるようにする、第１送信モジュールを更に含む。
【０１４８】
具体的に、受信モジュールにより受信される第１指示情報は、少なくとも１つの第２送信搬送波周波数の周波数の周波数情報を含む。
【０１４９】
具体的に、選択モジュールにより選択された第２送信搬送波周波数の周波数は、要求メッセージに含まれる。
【０１５０】
機器は、第１セルへ、第２送信搬送波周波数の周波数情報を含む通知メッセージを送信するよう構成される第２送信モジュールを更に含み、通知メッセージは、ＵＥが第２送信搬送波周波数をＤ２Ｄサービスを送信する送信搬送波周波数として使用することを、第１セルに知らせるために使用される。
【０１５１】
機器は、以下を更に含む：
第２セルを決定するために、第３送信搬送波周波数に対して周波数スキャンを実行するよう構成される決定モジュールと、第２セルが指定条件に適合するとき、第２セルをサービングセルとして再選択するよう構成される再選択モジュールと、Ｄ２Ｄサービスを実行するために使用され且つ第２セルにより制御され得る送信搬送波周波数でＤ２Ｄサービスデータを送信するよう構成される送信モジュール。
【０１５２】
具体的に、再選択モジュールにより決定される指定条件は、第２セルの信号品質が再選択閾以上であり、ＵＥが第２セルにより送信された第２指示メッセージを受信でき、第２指示メッセージは、第２セルが、第２送信搬送波周波数でＤ２Ｄサービスデータを送信するようＵＥを制御できることを示すために使用されること、第１セルの信号品質がアクセス閾より低く、第２セルの信号品質が再選択閾以上であり、ＵＥが第２セルにより送信された第２指示メッセージを受信でき、第２指示メッセージは、第２セルが、第２送信搬送波周波数でＤ２Ｄサービスデータを送信するようＵＥを制御できることを示すために使用されること、又は、第１セルの信号品質がアクセス閾より低く、第２セルの信号品質が再選択閾以上であり、ＵＥが第２セルにより送信された第３指示メッセージを受信でき、第３指示メッセージは、第２セルが、第３送信搬送波周波数でＤ２Ｄサービスデータを送信するようＵＥを制御できることを示すために使用されること、のうちの少なくとも１つを含む。
【０１５３】
第１指示情報は、Ｄ２Ｄサービスを送信するために使用される送信搬送波周波数のアクセス優先度を更に含み、再選択モジュールにより決定される指定条件は、第２セルの信号品質が再選択閾以上であり、ＵＥが第２セルにより送信された第３指示メッセージを受信でき、第３送信搬送波周波数のアクセス優先度が第２送信搬送波周波数のアクセス優先度より高く、第３指示メッセージは、第２セルが、第３送信搬送波周波数でＤ２Ｄサービスデータを送信するようＵＥを制御できることを示すために使用されること、又は、第１セルの信号品質がアクセス閾より低く、第２セルの信号品質が再選択閾以上であり、ＵＥが第２セルにより送信された第３指示メッセージを受信でき、第３送信搬送波周波数のアクセス優先度が第２送信搬送波周波数のアクセス優先度より高く、第３指示メッセージは、第２セルが、第３送信搬送波周波数でＤ２Ｄサービスデータを送信するようＵＥを制御できることを示すために使用されること、のうちの少なくとも１つを含む。
【０１５４】
第１指示情報は、セル再選択優先度を更に含み、再選択モジュールにより決定される指定条件は、第２セルの信号品質が再選択閾以上であり、第２セルの再選択優先度が第１セルの再選択優先度以上であり、ＵＥが第２セルにより送信された第２指示メッセージを受信でき、第２指示メッセージは、第２セルが、第２送信搬送波周波数でＤ２Ｄサービスデータを送信するようＵＥを制御できることを示すために使用されること、又は、第２セルの信号品質が第１セルの信号品質より高く、第２セルの再選択優先度が第１セルの再選択優先度以上であり、ＵＥが第２セルにより送信された第２指示メッセージを受信でき、第２指示メッセージは、第２セルが、第２送信搬送波周波数でＤ２Ｄサービスデータを送信するようＵＥを制御できることを示すために使用されること、のうちの少なくとも１つを含む。
【０１５５】
相応して、本発明の実施形態２は、Ｄ２Ｄサービス送信装置を更に提供する。図４に示すように、装置は、プロセッサ、インタフェース、及びバスを含み、プロセッサ及びインタフェースは、バスを用いて互いに接続される。
【０１５６】
プロセッサ４０１は、第１送信搬送波周波数で動作する第１セルの信号品質を取得するよう構成される。
【０１５７】
プロセッサは、中央処理ユニット（英語：central  processing  unit、略してＣＰＵ）、又はＣＰＵとハードウェアチップの組合せであって良い。信号プロセッサは、代替で、ネットワークプロセッサ（英語：network  processor、略してＮＰ）、ＣＰＵとＮＰの組合せ、又はＮＰとハードウェアチップの組合せであって良い。
【０１５８】
ハードウェアチップは、以下：特定用途向け集積回路（英語：application−specific  integrated  circuit、略してＡＳＩＣ）、フィールドプログラマブルゲートアレイ（英語：field−programmable  gate  array、略してＦＰＧＡ）、又は結合プログラマブル論理装置（英語：complex  programmable  logic  device、略してＣＰＬＤ）、のうちの１つ又は組合せであって良い。
【０１５９】
インタフェース４０２は、第１セルにより送信された第１指示情報を受信するよう構成される。
【０１６０】
インタフェースは、以下：銅線インタフェース及び／又はファイバインタフェースを提供できるイーサネットＮＩＣのような有線インタフェースを提供するネットワークインタフェース制御部（英語：network  interface  controller、略してＮＩＣ）、又は無線ローカルエリアネットワーク（英語：wireless  local  area  network、略してＷＬＡＮ）無線インタフェースを提供するＮＩＣ、のうちの１又は複数であって良い。
【０１６１】
プロセッサ４０１は、第１セルの信号品質がプリセット閾より高いことが決定され、第１セルにより送信された第１指示情報が受信されると、第１セルをサービングセルとして選択し、第１指示情報は、第１セルが、第２送信搬送波周波数で装置間Ｄ２Ｄサービスデータを送信するようＵＥを制御できることを示すために使用され、第１送信搬送波周波数及び第２送信搬送波周波数は異なる周波数に位置付けられ、並びに、第２送信搬送波周波数でＤ２Ｄサービスデータを送信する、よう構成される。具体的に、インタフェースは、具体的に、システム情報をブロードキャストすることにより第１セルにより送信された第１指示情報を受信するよう、又は無線リソース制御ＲＲＣ専用制御シグナリングを用いることにより第１セルにより送信された第１指示情報を受信するよう構成される。
【０１６２】
プロセッサは、第１セルが要求メッセージに従い第１指示情報を送信できるように、インタフェースを用いて第１セルへ、ＵＥの関心のあるＤ２Ｄサービスの送信搬送波周波数の周波数情報を含む要求メッセージを送信するよう更に構成される。
【０１６３】
具体的に、インタフェースにより受信される第１指示情報は、少なくとも１つの第２送信搬送波周波数の周波数の周波数情報を含む。
【０１６４】
具体的に、プロセッサにより選択された第２送信搬送波周波数の周波数は、要求メッセージに含まれる。
【０１６５】
具体的に、インタフェースは、第１セルへ、第２送信搬送波周波数の周波数情報を含む通知メッセージを送信するよう更に構成される。ここで、通知メッセージは、ＵＥが第２送信搬送波周波数をＤ２Ｄサービスを送信する送信搬送波周波数として使用することを、第１セルに知らせるために使用される。
【０１６６】
具体的に、プロセッサは、第２セルを決定するために、第３送信搬送波周波数に対して周波数スキャンを実行し、第２セルが指定条件に適合するとき、第２セルをサービングセルとして再選択し、Ｄ２Ｄサービスを実行するために使用され且つ第２セルにより制御され得る送信搬送波周波数でＤ２Ｄサービスデータを送信する。
【０１６７】
具体的に、プロセッサにより決定される指定条件は、第２セルの信号品質が再選択閾以上であり、ＵＥが第２セルにより送信された第２指示メッセージを受信でき、第２指示メッセージは、第２セルが、第２送信搬送波周波数でＤ２Ｄサービスデータを送信するようＵＥを制御できることを示すために使用されること、第１セルの信号品質がアクセス閾より低く、第２セルの信号品質が再選択閾以上であり、ＵＥが第２セルにより送信された第２指示メッセージを受信でき、第２指示メッセージは、第２セルが、第２送信搬送波周波数でＤ２Ｄサービスデータを送信するようＵＥを制御できることを示すために使用されること、又は、第１セルの信号品質がアクセス閾より低く、第２セルの信号品質が再選択閾以上であり、ＵＥが第２セルにより送信された第３指示メッセージを受信でき、第３指示メッセージは、第２セルが、第３送信搬送波周波数でＤ２Ｄサービスデータを送信するようＵＥを制御できることを示すために使用されること、のうちの少なくとも１つを含む。
【０１６８】
具体的に、第１指示情報は、Ｄ２Ｄサービスを送信するために使用される送信搬送波周波数のアクセス優先度を更に含み、プロセッサにより決定される指定条件は、第２セルの信号品質が再選択閾以上であり、ＵＥが第２セルにより送信された第３指示メッセージを受信でき、第３送信搬送波周波数のアクセス優先度が第２送信搬送波周波数のアクセス優先度より高く、第３指示メッセージは、第２セルが、第３送信搬送波周波数でＤ２Ｄサービスデータを送信するようＵＥを制御できることを示すために使用されること、又は、第１セルの信号品質がアクセス閾より低く、第２セルの信号品質が再選択閾以上であり、ＵＥが第２セルにより送信された第３指示メッセージを受信でき、第３送信搬送波周波数のアクセス優先度が第２送信搬送波周波数のアクセス優先度より高く、第３指示メッセージは、第２セルが、第３送信搬送波周波数でＤ２Ｄサービスデータを送信するようＵＥを制御できることを示すために使用されること、のうちの少なくとも１つを含む。
【０１６９】
第１指示情報は、セル再選択優先度を更に含み、プロセッサにより決定される指定条件は、第２セルの信号品質が再選択閾以上であり、第２セルの再選択優先度が第１セルの再選択優先度以上であり、ＵＥが第２セルにより送信された第２指示メッセージを受信でき、第２指示メッセージは、第２セルが、第２送信搬送波周波数でＤ２Ｄサービスデータを送信するようＵＥを制御できることを示すために使用されること、又は、第２セルの信号品質が第１セルの信号品質より高く、第２セルの再選択優先度が第１セルの再選択優先度以上であり、ＵＥが第２セルにより送信された第２指示メッセージを受信でき、第２指示メッセージは、第２セルが、第２送信搬送波周波数でＤ２Ｄサービスデータを送信するようＵＥを制御できることを示すために使用されること、のうちの少なくとも１つを含む。
【０１７０】
実施形態３
本発明の実施形態３は、Ｄ２Ｄサービス送信方法を提供する。図５に示すように、方法の特定の処理手順は以下のように記載される。
【０１７１】
ステップ４１：第１セルは、第１指示情報を決定する。
【０１７２】
ステップ４２：第１セルは、第１送信搬送波周波数で第１指示情報を送信する。
【０１７３】
第１指示情報は、第１セルが、第２送信搬送波周波数で装置間Ｄ２Ｄサービスデータを送信するようＵＥを制御できることを示すために使用され、ＵＥが、指示情報に従い、第１セルをサービングセルとして使用すること、及び第２送信搬送波周波数でＤ２Ｄサービスデータを送信することを決定できるようにする。
【０１７４】
第１セルは、以下の２つの方法で第１指示情報を送信して良い。
【０１７５】
第１の方法では、第１セルは、システム情報をブロードキャストすることにより、第１指示情報を送信する。
【０１７６】
第２の方法では、第１セルは、ＲＲＣ専用制御シグナリングを用いることにより、第１指示情報を送信する。
【０１７７】
第１指示情報は、第１セルが、第２送信搬送波周波数でＤ２Ｄサービスデータを送信するようＵＥを制御できることを示すために使用され、第１送信搬送波周波数及び第２送信搬送波周波数は異なる周波数に位置付けられる。
【０１７８】
第１送信搬送波周波数及び第２送信搬送波周波数は、異なる周波数に位置付けられる。
【０１７９】
方法は以下のステップを更に含む。
【０１８０】
第１セルが、ＵＥは第２送信搬送波周波数でＤ２Ｄサービスデータを送信すると決定すると、第１セルは、第２送信搬送波周波数上のＤ２Ｄ送信リソースをＵＥに割り当てる。
【０１８１】
第１セルは、第１送信搬送波周波数を用いて第１指示情報を送信する。第１セルは、システム情報をブロードキャストすることにより指示情報を送信する、或いは、第１セルは、無線リソース制御ＲＲＣ専用制御シグナリングを使用することにより第１指示情報を送信する。
【０１８２】
第１セルが、第１送信搬送波周波数を用いて第１指示情報を送信する前に、方法は以下のステップを更に含む。
【０１８３】
第１セルは、ＵＥにより送信された要求メッセージを受信し、第１セルは、要求メッセージに従い第１指示情報を送信する。
【０１８４】
要求メッセージは、ＵＥの関心のあるＤ２Ｄサービスのための送信搬送波周波数の周波数情報を含む。
【０１８５】
第１送信搬送波周波数を用いて第１セルにより送信される第１指示情報は、少なくとも１つの第２送信搬送波周波数の周波数情報を含む。
【０１８６】
第２送信搬送波周波数の且つ第１セルにより送信された第１指示情報内の周波数情報は、要求メッセージに含まれる。
【０１８７】
方法は以下のステップを更に含む。
【０１８８】
第１セルは、第２送信搬送波周波数の周波数情報を含み且つＵＥにより送信された通知メッセージを送信する。ここで、通知メッセージは、ＵＥが第２送信搬送波周波数をＤ２Ｄサービスデータを送信する送信搬送波周波数として使用することを、第１セルに知らせるために使用される。
【０１８９】
相応して、本発明の実施形態３は、Ｄ２Ｄサービス送信機器を更に提供する。図５に示すように、機器は、決定モジュール５０１、及び送信モジュール５０２を含む。
【０１９０】
決定モジュール５０１は、第１指示情報を決定するよう構成される。
【０１９１】
送信モジュール５０２は、第１送信搬送波周波数を用いて第１指示情報を送信するよう構成される。ここで、第１指示情報は、第１セルが、第２送信搬送波周波数で装置間Ｄ２Ｄサービスデータを送信するようＵＥを制御できることを示すために使用され、ＵＥが、指示情報に従い、第１セルをサービングセルとして使用すること、及びＤ２Ｄサービスデータを第２送信搬送波周波数で送信することを決定できるようにし、第１送信搬送波周波数及び第２送信搬送波周波数は異なる周波数に位置付けられる。
【０１９２】
機器は、以下を更に含む：
ＵＥが第２送信搬送波周波数でＤ２Ｄサービスデータを送信すると決定されると、第２送信搬送波周波数上のＤ２Ｄ送信リソースをＵＥに割り当てるよう構成される実行モジュール。
【０１９３】
具体的に、送信モジュールは、具体的に、システム情報をブロードキャストすることにより指示情報を送信するよう、又は無線リソース制御ＲＲＣ専用制御シグナリングを用いることにより第１指示情報を送信するよう構成される。
【０１９４】
機器は、ＵＥにより送信された要求メッセージを受信するよう構成される第１受信モジュールを更に含む。ここで、要求メッセージは、ＵＥの関心のあるＤ２Ｄサービスのための送信搬送波周波数の周波数情報を含む。送信モジュールは、具体的に、要求メッセージに従い第１指示情報を送信するよう構成される。
【０１９５】
具体的に、第１送信搬送波周波数を用いて送信モジュールにより送信される第１指示情報は、少なくとも１つの第２送信搬送波周波数の周波数情報を含む。
【０１９６】
具体的に、第２送信搬送波周波数の且つ送信モジュールにより送信された第１指示情報内の周波数情報は、要求メッセージに含まれる。
【０１９７】
機器は、第２送信搬送波周波数の周波数情報を含み且つＵＥにより送信された通知メッセージを受信するよう構成される第２受信モジュールを更に含む。ここで、通知メッセージは、ＵＥが第２送信搬送波周波数をＤ２Ｄサービスデータを送信する送信搬送波周波数として使用することを、第１セルに知らせるために使用される。
【０１９８】
相応して、本発明の実施形態３は、Ｄ２Ｄサービス送信装置を更に提供する。装置の概略構造図について、図４を参照する。装置は、プロセッサ及びインタフェースを含み、プロセッサ及びインタフェースは、バスを用いて互いに接続される。
【０１９９】
プロセッサは、インタフェースを用いて第１送信搬送波周波数に基づき第１指示情報を送信するよう構成される。ここで、第１指示情報は、第１セルが、第２送信搬送波周波数で装置間Ｄ２Ｄサービスデータを送信するようＵＥを制御できることを示すために使用され、ＵＥが、指示情報に従い、第１セルをサービングセルとして使用すること、及びＤ２Ｄサービスデータを第２送信搬送波周波数で送信することを決定できるようにし、第１送信搬送波周波数及び第２送信搬送波周波数は異なる周波数に位置付けられる。
【０２００】
プロセッサは、ＵＥが第２送信搬送波周波数でＤ２Ｄサービスデータを送信すると決定されると、第２送信搬送波周波数上のＤ２Ｄ送信リソースをＵＥに割り当てるよう構成される。
【０２０１】
インタフェースは、具体的に、システム情報をブロードキャストすることにより指示情報を送信するよう、又は無線リソース制御ＲＲＣ専用制御シグナリングを用いることにより第１指示情報を送信するよう構成される。
【０２０２】
インタフェースは、ＵＥにより送信された要求メッセージを受信し、要求メッセージは、ＵＥの関心のあるＤ２Ｄサービスの送信搬送波周波数の周波数情報を含み、要求メッセージに従い、第１指示情報を送信するよう更に構成されて良い。
【０２０３】
インタフェースを用いて第１送信搬送波周波数に基づき送信される第１指示情報は、少なくとも１つの第２送信搬送波周波数の周波数情報を含む。
【０２０４】
第２送信搬送波周波数の且つインタフェースにより送信された第１指示情報内の周波数情報は、要求メッセージに含まれる。
【０２０５】
インタフェースは、第２送信搬送波周波数の周波数情報を含み且つＵＥにより送信された通知メッセージを送信するよう更に構成される。ここで、通知メッセージは、ＵＥが第２送信搬送波周波数をＤ２Ｄサービスデータを送信する送信搬送波周波数として使用することを、第１セルに知らせるために使用される。
【０２０６】
当業者は、本発明の実施形態が方法、機器（装置）、又はコンピュータプログラム製品として提供されて得ることを理解すべきである。したがって、本発明は、ハードウェアのみの実施形態、ソフトウェアのみの実施形態、又はソフトウェアとハードウェアとの組合せを有する実施形態の形式を使用して良い。さらに、本発明は、コンピュータ使用可能プログラムコードを含む１又は複数のコンピュータ使用可能記憶媒体（磁気ディスク記憶装置、ＣＤ−ＲＯＭ、光メモリ、等を含むが、これらに限定されない）に実装されるコンピュータプログラム製品の形式を使用して良い。
【０２０７】
本発明は、本発明の実施形態による方法、機器（装置）及びコンピュータプログラム製品のフローチャート及び／又はブロック図を参照して記載される。理解されるべきことに、コンピュータプログラム命令は、フローチャート及び／又はブロック図の中の各々の処理及び／又は各々のブロック、及び／又はフローチャート及び／又はブロック図の中の処理及び／又はブロックの組合せを実施するために使用されて良い。これらのコンピュータプログラム命令は、機械を生成するために、汎用コンピュータ、専用コンピュータ、内蔵プロセッサ、又は別のプログラマブルデータ処理装置のプロセッサに対して提供されて良く、したがって、コンピュータ又は別のプログラマブルデータ処理装置のプロセッサにより実行される命令は、フローチャートの中の１又は複数の処理及び／又はブロック図の中の１又は複数のブロックの中の特定の機能を実装する機器を生成できる。
【０２０８】
これらのコンピュータプログラム命令は、代替で、コンピュータ又は任意の他のプログラマブルデータ処理装置に特定の方法で動作するよう指示できるコンピュータ可読メモリに格納されて良く、したがって、コンピュータ可読メモリに格納された命令は、命令装置を含む製品を生成できる。命令装置は、フローチャートの中の１又は複数の処理の中の及び／又はブロック図の中の１又は複数のブロックの中の特定の機能を実装する。
【０２０９】
これらのコンピュータプログラム命令は、代替で、コンピュータ又は別のプログラマブルデータ処理装置にロードされて良く、したがって、一連の動作及びステップが該コンピュータ又は別のプログラマブル装置で実行され、それによりコンピュータにより実施される処理を生成する。したがって、コンピュータ又は別のプログラマブル装置で実行される命令は、フローチャートの中の１又は複数の処理の中の及び／又はブロック図の中の１又は複数のブロックの中の特定の機能を実施するステップを提供する。
【０２１０】
本発明の幾つかの好適な実施形態が記載されたが、当業者は、基本的な発明の概念を学習すると、これらの実施形態に変化及び変更を行うことができる。したがって、以下の請求項は、好適な実施形態及び本発明の範囲に包含される全ての変化及び変更をカバーするものと考えられるべきである。
【０２１１】
明らかに、当業者は、本発明の精神及び範囲から逸脱することなく本発明に種々の変更及び変形をなし得る。本発明は、これらの変更及び変形が本発明の請求項の範囲及びそれらの等価技術に包含される場合、これらの変更及び変形をカバーすることを意図する。
【図１】
0006745333.tif 000002
【図２Ａ】
0006745333.tif 000003
【図２Ｂ】
0006745333.tif 000004
【図３】
0006745333.tif 000005
【図４】
0006745333.tif 000006
【図５】
0006745333.tif 000007
【図６】
0006745333.tif 000008